(57)【要約】【課題】安定した制御が可能な増圧給水装置及び増圧給水装置の制御方法を提供する。【解決手段】本発明の一形態にかかる増圧給水装置は、ポンプと、前記ポンプの一次側に配され水道管に接続された逆流防止装置と、前記逆流防止装置と前記ポンプの間に配され、前記ポンプの吸込側のポンプ吸込圧力を検出するポンプ吸込圧力検出部と、前記ポンプの二次側に配され、前記ポンプの吐出側の吐出圧力を検出する吐出圧力検出部と、前記ポンプの二次側の吐出圧力と目標圧力に基づいて前記ポンプの動作を制御するとともに、前記ポンプの運転中に前記逆流防止装置の二次側であって前記ポンプの一次側のポンプ吸込圧力に基づいて高配水圧状態となった場合に前記ポンプを停止する、制御部と、を備える。【選択図】図１
2020094514.tif 000002
【特許請求の範囲】
【請求項１】
ポンプと、
前記ポンプの一次側に配され水道管に接続された逆流防止装置と、
前記逆流防止装置と前記ポンプの間に配され、前記ポンプの吸込側のポンプ吸込圧力を検出するポンプ吸込圧力検出部と、
前記ポンプの二次側に配され、前記ポンプの吐出側の吐出圧力を検出する吐出圧力検出部と、
前記ポンプの二次側の吐出圧力と目標圧力に基づいて前記ポンプの動作を制御するとともに、前記ポンプの運転中に前記逆流防止装置の二次側であって前記ポンプの一次側のポンプ吸込圧力に基づいて高配水圧状態となった場合に前記ポンプを停止する、制御部と、を備える、増圧給水装置。
【請求項２】
前記制御部は、前記ポンプの運転中に前記ポンプ吸込圧力が前記目標圧力に基づいて定められる所定の高配水圧停止圧力値以上あるいは前記高配水圧停止圧力値を超える場合に、前記高配水圧状態であるとして前記ポンプを停止し、
前記ポンプの停止中に前記吐出圧力が前記目標圧力より低く設定された始動圧力まで低下した場合に前記ポンプを始動する、請求項１に記載の増圧給水装置。
【請求項３】
前記制御部は、前記ポンプの運転中に前記ポンプ吸込圧力が前記目標圧力に基づいて定められる所定の高配水圧停止圧力値以上あるいは前記高配水圧停止圧力値を超える状態が、所定時間継続した場合に、前記高配水圧状態であるとして前記ポンプを停止する、請求項１に記載の増圧給水装置。
【請求項４】
前記制御部は、前記ポンプの運転中に、前記ポンプ吸込圧力が第１基準値以下に低下した場合に前記ポンプを停止し、当該ポンプの停止中に前記ポンプ吸込圧力が前記第１基準値よりも高い所定の第２基準値以上となった場合に、前記ポンプを再始動する、請求項１乃至３のいずれかに記載の増圧給水装置。
【請求項５】
前記制御部は、推定末端圧一定制御方式にて、停止流量から定格流量までの流量域において、停止流量時の第２目標圧力から定格流量時の第１目標圧力まで、出力周波数あるいは流量の増加に伴って変動する前記目標圧力に基づいて前記ポンプの出力を制御するとともに、
前記ポンプ吸込圧力の変動量が所定の変動基準値以上である場合に、所定時間前記目標圧力を固定する、請求項１乃至請求項４のいずれかに記載の増圧給水装置。
【請求項６】
前記ポンプを複数備えるとともに、
前記逆流防止装置の一次側に接続される吸込配管と、前記逆流防止装置の二次側で複数の前記ポンプのポンプ吸込口に至る流路を有する吸込連結管と、前記ポンプのポンプ吐出口の二次側に連通する個別吐出流路、前記個別吐出流路から前記吸込連結管に連通するバイパス流路、及び給水先に連通する吐出口、を有する吐出連結管と、を備え、前記ポンプの吐出側に逆止弁を備える、配管と、
前記個別吐出流路に配され、給水量に比例した信号を出力する流量検出部と、を備える、請求項１乃至請求項５のいずれかに記載の増圧給水装置。
【請求項７】
前記逆流防止装置の一次側に配され、前記逆流防止装置よりも吸込側の圧力を検出する圧力検出部をさらに備える、請求項１乃至６のいずれかに記載の増圧給水装置。
【請求項８】
ポンプの一次側に配された逆流防止装置と前記ポンプの間のポンプ吸込圧力と
前記ポンプの二次側の吐出圧力と、を検出し、
所定の目標圧力と前記吐出圧力に基づいて前記ポンプの出力を制御するとともに、前記ポンプの運転中に前記ポンプ吸込圧力に基づいて高配水圧となった場合に前記ポンプを停止する、増圧給水装置の制御方法。
【請求項９】
前記ポンプ吸込圧力が前記目標圧力に基づいて定められる所定の高配水圧停止圧力値以上あるいは高配水圧停止圧力値を超える場合に、前記高配水圧であるとして、前記ポンプを停止する、請求項８に記載の増圧給水装置の制御方法。
【請求項１０】
前記ポンプの運転中に、ポンプ吸込圧力が第１基準値以下になった場合に、ポンプを停止するとともに、前記第１基準値以下となって停止した場合に、前記ポンプ吸込圧力が前記第１基準値よりも高い第２基準値以上となった場合に、前記ポンプを運転する、請求項８または請求項９に記載の増圧給水装置の制御方法。
【請求項１１】
推定末端圧一定制御方式にて、停止流量から定格流量までの流量域において、停止流量時の第２目標圧力から定格流量時の第１目標圧力まで、出力周波数あるいは流量の増加に伴って変動する目標圧力に基づいて前記ポンプの出力を制御するとともに、
前記ポンプ吸込圧力の変動量が所定の変動基準値以上である場合に、所定時間、前記目標圧力を固定する、請求項８乃至請求項１０のいずれかに記載の増圧給水装置の制御方法。
【発明の詳細な説明】
【技術分野】
【０００１】
本発明は、増圧給水装置及び増圧給水装置の制御方法に関する。
【背景技術】
【０００２】
増圧給水装置において、ポンプ運転時に吸込圧力が上昇した場合にポンプを停止させる、いわゆる高配水圧停止機能を備えることが義務づけられている。
【０００３】
このような増圧給水装置において、ポンプと、モータと、ポンプの一次側の流路に設けられた減圧弁式逆流防止装置と、ポンプの二次側に設けられたアキュムレータと、を備え、配管としてポンプの一次側の吸込管と、ポンプの二次側の吐出管と、吸込管と吐出管を連通するバイパス管と、を備えるものが知られている（例えば、特許文献１参照）。吸込管にはストレーナや閉止弁、圧力センサが設けられ、吸込配管内の圧力、すなわち逆流防止装置の一次側の圧力である吸込圧力を検出している。
【０００４】
例えば吸込圧力が正圧となる増圧給水装置においては、ポンプ運転中に吸込圧力が目標圧力以上に上昇した場合に、ポンプを自動停止し、バイパス流路とポンプを経由して直圧給水する機能が日本水道協会規格に定められている。
【先行技術文献】
【特許文献】
【０００５】
【特許文献１】特許第３２８７５２８号
【発明の概要】
【発明が解決しようとする課題】
【０００６】
この場合、例えば、閉止弁とストレーナと減圧弁式の逆流防止装置の圧力損失が最低で約６ｍであると、ポンプを停止した場合のポンプの吐出側の圧力（以下、吐出圧力）は「目標圧力−６ｍ」まで低下する。一方で、吐出圧力一定制御方式の場合、始動圧力は「目標圧力−４ｍ」程度となる。したがって、ポンプの運転中にアキュムレータに蓄えられた水が流出して、吐出圧力が「目標圧力−４ｍ」まで低下すると、ポンプが再始動するといったハンチング現象が生じる場合がある。そこで、圧力損失を考慮してマージンを設定することも考えられるが、閉止弁とストレーナと減圧弁式逆流防止装置の圧力損失は、口径や給水量に伴って複雑に変化することから、圧力損失を考慮した設定は困難である。
【０００７】
そこで、本発明は、安定した制御が可能な増圧給水装置及び増圧給水装置の制御方法を提供することを目的とする。
【課題を解決するための手段】
【０００８】
本発明の一形態にかかる増圧給水装置は、ポンプと、前記ポンプの一次側に配され水道管に接続された逆流防止装置と、前記逆流防止装置と前記ポンプの間に配され、前記ポンプの吸込側のポンプ吸込圧力を検出するポンプ吸込圧力検出部と、前記ポンプの二次側に配され、前記ポンプの吐出側の吐出圧力を検出する吐出圧力検出部と、前記ポンプの二次側の吐出圧力と目標圧力に基づいて前記ポンプの動作を制御するとともに、前記ポンプの運転中に前記逆流防止装置の二次側であって前記ポンプの一次側のポンプ吸込圧力に基づいて高配水圧状態となった場合に前記ポンプを停止する、制御部と、を備える。
【発明の効果】
【０００９】
本発明によれば、安定した制御が可能な増圧給水装置及び増圧給水装置の制御方法を提供することができる。
【図面の簡単な説明】
【００１０】
【図１】本発明の一実施形態にかかる増圧給水装置の説明図。
【図２】同増圧給水装置の説明図。
【図３】同増圧給水装置の側面図。
【図４】同増圧給水装置の目標圧力を示すグラフ。
【図５】他の実施形態にかかる増圧給水装置の説明図。
【発明を実施するための形態】
【００１１】
以下、本発明の一実施形態にかかる増圧給水装置１及び増圧給水装置１の制御方法について、図１乃至図４を参照して説明する。図１及び図２は増圧給水装置１の説明図であり、カバーを切欠して内部構造を示すとともに、一部構造を断面にて示す正面図である。図３は増圧給水装置１の側面図であり、図４は増圧給水装置１の制御における目標圧力を示すグラフであり、推定末端圧一定制御時の揚程と流量の関係を示している。
【００１２】
図１乃至図３に示すように、増圧給水装置１は、の水道管１０に接続された直結式の給水装置であり、複数のポンプ装置１１と、配管１２と、逆流防止装置１３と、アキュムレータ１４と、ポンプ吸込圧力検出部である第１圧力センサ１５と、吐出圧力検出部である第２圧力センサ１６と、流量検出部である流量センサ１７と、電装部１８と、これらを収容するポンプカバー１９と、を備える。水道管１０は例えば水道本管または水道分管である。
【００１３】
ポンプ装置１１は、モータ２１と、モータ２１に接続されたインペラを有する１段または複数段のポンプ２３と、を備え、流体を増圧して二次側に圧送する。本実施形態においては一対の多段のポンプ装置１１が縦置きの状態で設置される例を示す。
【００１４】
ポンプ２３は、下端部にポンプ吸込口２３ａを有し、上部の側部にポンプ吐出口２３ｂを有している。ポンプ吸込口２３ａには配管１２の吸込連結管３２が接続される。ポンプ吐出口２３ｂには個別吐出流路を形成する個別吐出管３４が接続される。
【００１５】
各モータ２１はケーブルを介して電装部１８の制御部１８ｂに接続されている。ポンプ装置１１は、制御部１８ｂの制御によりモータ２１が駆動されることで、運転制御される。
【００１６】
配管１２は、逆流防止装置１３の一次側に配される吸込配管３１と、逆流防止装置１３の二次側に配される吸込連結管３２と、吸込連結管３２から分岐して各ポンプ２３のポンプ吸込口２３ａに至る一対のボール弁部３３と、ポンプ２３のポンプ吐出口２３ｂに接続される複数の個別吐出管３４と、複数の個別吐出管３４とボール弁部３３とを連通する吐出連結管３５と、吐出連結管３５と吸込連結管３２とを接続するバイパス連結管３６と、を備える。
【００１７】
吸込配管３１は一次側の端部に吸込口１２ａを有している。吸込口１２ａ近傍にはストレーナ３７が設けられている。吸込配管３１の他端は逆流防止装置１３に接続される。
【００１８】
逆流防止装置１３は、ポンプの一次側の流路に設けられた減圧弁式逆流防止装置であり、吸込配管３１と吸込連結管３２との間に設けられている。逆流防止装置１３は、第１の逆止弁１３ａと、第２の逆止弁１３ｂと、リテーナ１３ｃと、逃がし弁と、を備え、流路における液体の流れの方向を一方向に規制する。
【００１９】
吸込連結管３２は管状部材であり、逆流防止装置１３の二次側に接続される。吸込連結管３２は例えば２台のポンプ装置１１の下方において水平に延びている。吸込連結管３２には第１の圧力検出部としての第１圧力センサ１５が設けられている。第１圧力センサ１５は、吸込連結管３２内の圧力、すなわち逆流防止装置１３の二次側であってポンプ装置１１の一次側の圧力Ｐｓ１（以下、ポンプ吸込圧力Ｐｓ１とする）を検出する。
【００２０】
一対のボール弁部３３は、一対のポンプ２３のポンプ吸込口２３ａにそれぞれ接続されている。ボール弁部３３は一次側の吸込連結管３２とポンプ吸込口２３ａとを連通する流路を形成するとともに、内蔵されたボール弁の回転操作により流路が開閉可能に構成されている。
【００２１】
個別吐出管３４は、管状部材であり、その一端がポンプ２３の側壁部に配されるポンプ吐出口２３ｂに接続されている。個別吐出管３４は、ポンプ吐出口２３ｂから前方に延び、屈曲して下方に延び、下方に設けられた吐出連結管３５に接続されている。個別吐出管３４内であってポンプ吐出口に近い所定箇所には、流れ方向を一方向に規制する逆止弁５２が設けられている。また、個別吐出管３４の中途部には、個別吐出管３４内の液体の流量を検出する流量検出部である流量センサ１７がそれぞれ設けられている。
【００２２】
吐出連結管３５は管状部材であり、複数の個別吐出管３４に接続されたボール弁部３３の二次側に接続される。吐出連結管３５は例えば縦置きの２台のポンプ装置１１の下方において水平に延び、吸込連結管３２と並列に配置されている。吐出連結管３５は一端が閉口し、他端には蛇口などの給水先に接続される吐出口１２ｂを有する。吐出連結管３５には第２の圧力検出部としての第２圧力センサ１６が設けられている。第２圧力センサ１６は、吐出連結管３５内の圧力、すなわちポンプ２３の二次側の圧力Ｐｓ２（以下、吐出圧力Ｐｓ２とする）を検出する。吐出連結管３５の吐出口近傍に圧力を蓄えるためのアキュムレータ１４が設けられている。
【００２３】
バイパス連結管３６は管状部材であり、吐出連結管３５と吸込連結管３２とを連通するバイパス流路を形成する。バイパス連結管３６内の所定箇所には、流れ方向を一方向に規制する逆止弁５１が設けられている。
【００２４】
第１圧力センサ１５及び第２圧力センサ１６は、例えばピエゾ効果を利用した半導体式の圧力センサである。圧力センサ１５、１６は、センサーボディの孔部に設けられたダイヤフラムと、ダイヤフラムの上部に設けられた歪みゲージと、ダイヤフラム及び歪みゲージの間に設けられた液室と、液室に充填された非腐食性液体、例えばシリコンオイルと、を備える。
【００２５】
第１圧力センサ１５及び第２圧力センサ１６は、配管１２内の圧力を検出し、アナログ電圧出力可能に構成されている。第１圧力センサ１５及び第２圧力センサ１６は、ダイヤフラムが配管１２内の圧力により変化したときに、液室内のシリコンオイルによって歪みゲージに圧力が印加され、当該圧力に応じた歪みゲージの歪み量を信号に変換することで、圧力を検出する。第１圧力センサ１５及び第２圧力センサ１６は、信号線を介して電装部１８の制御部１８ｂに接続され、検出した圧力信号を制御部１８ｂに送る。
【００２６】
流量センサ１７は例えば磁石が設けられた羽根車を備え、磁石に接続されたホールＩＣにて流量検出を行う回転式のセンサである。
【００２７】
電装部１８は、各種情報を記憶する記憶部としての記憶装置１８ａと、制御部１８ｂと、各ポンプに接続された複数のインバータ１８ｃと、を備える。
【００２８】
記憶装置１８ａは、例えば、制御に必要な情報として、各種プログラムや各種基準値や閾値等を記憶する。例えば記憶装置１８ａには、制御に必要な情報として、目標圧力、始動圧力、変動基準値ΔＰｖ、第１基準値Ｐｔ１，第２基準値Ｐｔ２等の数値や算出式、データテーブルなどが、記憶されている。
【００２９】
目標圧力Ｐｄｖは各種条件に基づいて決定される設定値であり、所定の固定値、または変動値として設定される。本実施形態においては、一例として、目標圧力Ｐｄｖは推定末端圧一定制御に用いる目標圧力として、例えば図４に示すように、停止流量から定格流量までの流量域において、停止流量時の第２目標圧力から定格流量時の第１目標圧力まで、出力周波数あるいは流量の増加に伴って変動する目標圧力曲線Ｌ１上の値とした。
【００３０】
始動圧力はポンプ装置の各種条件に基づいて決定される設定値であり、目標圧力より低い所定値に設定される。具体例として始動圧力は最小の目標圧力である第２目標圧力Ｐｄ２に基づいて設定される。本実施形態においては、始動圧力を最小の目標圧力である第２目標圧力Ｐｄ２よりも４ｍ低い２０ｍに設定した例を示す。
【００３１】
第１基準値Ｐｔ１は各種条件に基づいて決定される設定値であり、例えば正圧に設定される。一例として本実施形態において第１基準値Ｐｔ１を０．０１ＭＰａとした。
【００３２】
第２基準値Ｐｔ２は、各種条件に基づいて決定される設定値であり、例えば第１基準値Ｐｔ１よりも高い正圧に設定される。一例として本実施形態において第２基準値Ｐｔ２を０．０４ＭＰａとした。
【００３３】
継続時間であるｔ１、ｔ２は、各種条件に応じて設定される。例えばｔ１、ｔ２は１秒以上の所定値であり、本実施形態においてはｔ１、ｔ２をいずれも３秒に設定した例を示す。
【００３４】
制御部１８ｂは、予め記憶装置１８ａに記憶された各種プログラムに従って、複数のポンプ装置１１の動作を制御する。具体的には、制御部１８ｂは、各インバータ１８ｃに制御信号を送信し各ポンプ装置１１に対応するインバータ１８ｃを制御する。例えば制御部１８ｂは、各センサによって検出される検出値に基づき、各種の演算処理を行い、インバータ１８ｃの周波数制御により、ポンプ装置１１のモータ２１を変速運転し、または停止させる。具体的には、制御部１８ｂは、吐出圧力が給水量に応じて変動する目標圧力になるように、推定末端圧一定制御する。例えば、図４に一例を示すような、変動目標値に基づいて、吐出圧力をフィードバック制御する。
【００３５】
インバータ１８ｃは、信号線によってポンプ装置１１のモータ２１に電気的に接続されている。インバータ１８ｃは制御部１８ｂからの制御信号に応じた所定の周波数を出力することで、ポンプ装置１１のモータ２１を所定の回転速度で回転させる。
【００３６】
次に、本実施形態にかかる増圧給水装置１の制御方法について、説明する。
【００３７】
制御部１８ｂは、ポンプ装置１１を運転する指示を検出する。制御部１８ｂは、外部入力指示などによりポンプ装置１１を運転する指示を検出すると、各種データを検出するとともに、ポンプの運転を開始する。
【００３８】
制御部１８ｂは各種圧力センサ及び流量センサで検出した圧力値及び流量値を検出する。
【００３９】
制御部１８ｂは、インバータ１８ｃに制御信号を出力することで、ポンプ装置１１を駆動する。ここでは、２台のポンプ装置１１を、交互運転する。インバータ１８ｃは制御信号に応じた所定の周波数を出力することで、ポンプ装置１１のモータ２１を所定の回転速度で回転させる。このとき、制御部１８ｂは、吐出圧力Ｐｄが給水量に応じて変動する目標圧力Ｐｄｖになるように、推定末端圧一定にて制御する。
【００４０】
具体的には、制御部１８ｂは、一定時間（例：１秒）当りのポンプ吸込圧力Ｐｓ１の変動量ΔＰｓ１を検出し、変動量ΔＰｓ１が所定の変動基準値ΔＰｖ以上であるか否かを判定する。
【００４１】
そして、ポンプ吸込圧力の変動量ΔＰｓ１量が所定の変動基準値ΔＰｖ未満である場合には、出力周波数あるいは流量の増加に応じて変動する目標圧力Ｐｄｖに対して、吐出圧力をフィードバック制御する。
【００４２】
具体的には、制御部１８ｂは、一例として図４のグラフに示すように、停止流量から定格流量までの流量域において、流量センサ１７で検出する流量の値に応じて、目標圧力を変化させ、推定末端圧一定制御の目標圧力曲線Ｌ１上の目標圧力に基づいてポンプの出力を制御する。
【００４３】
一方、ポンプ吸込圧力Ｐｓ１の変動量ΔＰｓ１が所定の変動基準値ΔＰｖ以上となった場合には所定時間ｔ１は目標圧力を変動させないように、所定時間、目標圧力を固定して、ポンプの運転制御を行う。すなわち、一定時間ｔ１が経過するまで、目標圧を固定する。即ち、図４のグラフに示すように、変動値が一定値以上となった場合には、目標圧力を固定する。その後、一定時間ｔ１が経過した後に、再び目標圧力曲線Ｌ１上の目標圧力に従って推定末端圧一定制御を行う。ｔ１は例えば３秒程度に設定される。
【００４４】
これにより吸込圧力が変動しても、目標圧力は変化しないため、推定末端圧一定制御の目標圧力曲線Ｌ１上で、安定して運転を行うことが可能となる。
【００４５】
また、制御部１８ｂは、ポンプの運転中に検出したポンプ吸込圧力Ｐｓ１が、高配水圧条件を満たすか否か判定する。ここで、高配水とは吸込側の圧力が所定値以上となる状態であり、本実施形態においては、制御部１８ｂは、ポンプ吸込圧力Ｐｓ１が所定の高配水圧停止圧力値に上昇し、高配水停止圧力値以上とある、あるいは高配水停止圧力値を超える場合、あるいはその状態が所定時間継続した場合に、高配水圧（高配水圧状態）であると判定する。高配水圧停止圧力値は、目標圧力Ｐｄｖに基づいて定められ、例えば本実施形態においては、目標圧力Ｐｄｖを高配水圧停止圧力値とした。すなわち、制御部１８ｂは、ポンプ吸込圧力Ｐｓ１が給水量に応じて変動する目標圧力Ｐｄｖ超であるかを判定し、ポンプ吸込圧力Ｐｓ１が目標圧力Ｐｄｖ超である状態が、一定時間ｔ２以上継続した場合に、高配水圧と判断して、ポンプを停止する。一定時間ｔ２は例えば３秒程度に設定されている。
【００４６】
さらに、制御部１８ｂは、ポンプ２３の停止中に、吐出圧力Ｐｄが所定の始動条件を満たすか否かを判定する。一例として制御部１８ｂは、例えば吐出圧力Ｐｄが、最小目標圧力である第２目標圧力Ｐｄ２より低く設定された所定の始動圧力以下に低下した場合に、始動条件を満たすとして、ポンプ２３の運転を再開する。
【００４７】
さらに制御部１８ｂは、ポンプ２３の運転中に、ポンプ吸込圧力Ｐｓ１が所定値以下に低下した場合に、ポンプ２３を停止する。例えば制御部１８ｂは、ポンプ吸込圧力Ｐｓ１が第１基準値Ｐｔ１以下であるかを判定し、そして、ポンプ吸込圧力Ｐｓ１が第１基準値Ｐｔ１以下に低下した場合に、吸込圧力低下と判断して、ポンプ２３を停止する。
【００４８】
第１基準値Ｐｔ１は、記憶装置１８ａに記憶された閾値であり、例えばキャビテーションによりポンプの吸込側に気泡が発生するのを防止できる程度の圧力、例えば正圧に設定される。一例として本実施形態においては、第１基準値Ｐｔ１＝０．０１ＭＰａに設定される。なお、水道管の圧力は、０．０１ＭＰａに、この時点の給水量における逆流防止装置やストレーナなどの圧力損失を加算した圧力となる。
【００４９】
また、制御部１８ｂは、ポンプ吸込圧力Ｐｓ１が第１基準値Ｐｔ１以下の状態から所定値以上に上昇した場合に再始動をする。具体的には、制御部１８ｂはポンプ２３の停止中に、ポンプ吸込圧力Ｐｓ１が第２基準値Ｐｔ２以上となるか否かを判定する。制御部１８ｂは、ポンプ吸込圧力Ｐｓ１が第２基準値Ｐｔ２以上に上昇した場合には、ポンプ２３の運転を再開する。
【００５０】
第２基準値Ｐｔ２は例えば第１基準値Ｐｔ１よりも高く設定され、記憶装置１８ａに記憶された閾値である。一例として、本実施形態においては、第２基準値Ｐｔ２は例えば０．０４ＭＰａに設定した。
【００５１】
制御部１８ｂはこれらの処理をポンプの運転終了指示があるまで繰り返し、運転終了の指示があれば運転を終了する。
【００５２】
以上の様に構成された増圧給水装置１によれば、逆流防止装置の二次側のポンプ吸込圧力と目標圧力に基づいてポンプの停止を制御することにより、逆流防止装置の一次側の吸込圧力を検出する場合と比べて、ハンチング現象を抑制でき、安定した制御が可能となる。
【００５３】
増圧給水装置１はポンプ２３の運転中に、ポンプ吸込圧力Ｐｓ１が給水量に応じて変動する目標圧力（推定末端圧一定制御の場合、給水量に連動して変化する）を超えた状態が、一定時間の間継続した場合、流量センサ１７により検出された流量が停止流量を超えていても、ポンプ２３を停止するようにしている。すなわち、直接、逆流防止装置の二次側のポンプ吸込圧力と目標圧力を比較している。このため、様々な口径の減圧弁式の逆流防止装置、ストレーナなどの圧力損失が加算された合計値が、給水量の変動に伴い複雑に変動したとしても、これに影響されることなく、安定してポンプ２３を自動停止することが可能となる。従って、ポンプ２３の停止後に、アキュムレータ１４に蓄えられた水が流出して、吐出し圧力が第２目標圧力Ｐｄ２より低く設定された始動圧力まで低下することはなく、ポンプ２３が再始動するハンチング現象を防止できる。したがって、効果的にハンチング現象を防止できるとともに、安定した自動制御が可能となる。したがって、逆流防止装置、ストレーナなどの圧力損失を考慮する必要がないため、これらの圧力損失を考慮したマージンを設定する方法と比べて、簡単に、無駄な電力を消費することなく、最適な設定が可能である。
【００５４】
また、増圧給水装置１においては、ポンプ２３の運転中に、増圧給水装置１のポンプ２３の吸込圧力Ｐｓ１が、あらかじめ定めた第１基準値Ｐｔ１（例：０．０１ＭＰａ）以下になった場合、ポンプ２３を自動停止し、ポンプ２３の停止中に、ポンプ２３の吸込圧力Ｐｓ１が、第１基準値Ｐｔ１より高く定めた第２基準値Ｐｔ２（例：０．０４ＭＰａ）以上に回復した場合、ポンプ２３を運転可能としている。これにより、増圧給水装置１の吸込圧力すなわち水道管１０の圧力が所定値（例：０．０７ＭＰａ）を超えていても、ポンプ吸込圧力が正圧である所定の第１基準値Ｐｔ１（例：０．０１ＭＰａ）以下に低下したときに、ポンプ２３が自動停止する。したがって、ポンプ２３の吸込圧力が負圧になりキャビテーションが発生して揚水不能に陥ることを、防止できる。
【００５５】
また、上記実施形態にかかる増圧給水装置１において、吸込圧力Ｐｓ１が急激に変動した場合には、目標圧力を固定することにより、推定末端圧一定制御の目標圧力曲線Ｌ１上で、安定して運転を行うことが可能となる。すなわち、ポンプ吸込圧力Ｐｓ１の急激な変動により、給水流量Ｑが変化していないにもかかわらず、図４の実線矢印に示されるような目標圧力の過度低下や、目標圧力の不必要な上昇による無駄な電力消費を、防止することが可能となる。例えば、急激な吸込圧力の上昇により、吐出し圧力が増加し、吐出し圧力を目標圧力まで低減することで、圧力低減が追いつかず給水流量が増加し、目標圧力が増加し、目標圧力が不必要に高止まりしてしまう、という不具合や、急激な吸込圧力の低下により吐出し圧力が低下し、吐出し圧力を目標圧力まで増加することで、圧力増加が追いつかず給水流量が低下し、目標圧力が低下し、目標圧力の不足により末端圧力が低下する、という不具合を、変動量に応じて目標圧力を固定することで、防止することができる。
【００５６】
さらに、増圧給水装置１は、流量に比例した出力特性を有する流量検出部を設け、給水装置の運転流量を計測して、推定末端圧一定制御を行うことで、吸込圧力の時間あたりの変動幅が小さい場合は、ポンプへの出力周波数を変数として目標圧力を決定する方式に比べ、安定した自動制御が可能である。すなわち、例えば、吸込圧力が上昇し、吐出圧力が増加すると、制御により吐出圧力を目標圧力まで低減し、給水流量は変動しない、とする制御が可能である。または、吸込圧力が低下し、吐出圧力が低下すると、制御により吐出圧力を目標圧力まで増加することで、給水流量は変動しない、とする制御が可能である。
【００５７】
上述したように、増圧給水装置１によれば、逆流防止装置の二次側のポンプ吸込圧力に基づいてポンプの停止を制御することにより、逆流防止装置の一次側の吸込圧力を検出する場合と比べて、ハンチング現象を抑制でき、安定した制御が可能となる。
【００５８】
なお、本発明は上記実施形態の例に限られるものではない。各種設定値や制御の基準値は、ポンプ装置の構成や各種条件に応じて適宜変更可能である。例えば、上記実施形態において、高配水圧停止圧力値は吐出圧力のフィードバック制御の基準となる目標圧力とした例を示したが、これに限られるものではない。例えば高配水圧停止圧力値は、目標圧力に対応して、目標圧力よりも高い、あるいは低い、値に設定されていてもよく、例えば、推定末端圧一定制御により変動する目標圧力に対して一定比率となる（比率ｋは１．０未満もしくは１．０超）値を高配水圧停止圧力値としてもよい。この場合にも、逆流防止装置やストレーナ等の圧力損失を考慮する必要が無いことから、上記実施形態と同様の効果が得られる。
また、第１基準値Ｐｔ１や第２基準値Ｐｔ２や継続時間ｔ１、ｔ２についても、上記実施形態に限らず、適宜変更可能である。例えば、定期的に検出する場合に複数回連続して検出結果が条件を満たす場合に、所定時間継続していると判定してもよい。例えば、１秒毎に吐出圧を検出する場合には、２回以上、あるいは３回以上連続して条件を満たす場合に継続していると判定してもよい。
【００５９】
また、上記実施形態においては、推定末端圧一定制御によりポンプ２３をフィードバック制御する例を示したが、これに限られるものではなく、例えば所定の目標圧力に基づき、吐出圧力一定制御を行ってもよい。
【００６０】
また、他の実施形態にかかる増圧給水装置１Ａとして、図５に示すように、逆流防止装置１３の二次側の吸込圧力を検出する第１圧力センサ１５に加え、逆流防止装置１３よりも一次側に、さらに、逆流防止装置１３の一次側の圧力を検出する圧力検出部としての圧力センサ６０を設けてもよい。
【００６１】
なお、本発明は上記各実施形態そのままに限定されるものではなく、実施段階ではその要旨を逸脱しない範囲で構成要素を変形して具体化できる。さらに、上記実施形態の構成要件のうち一部を省略しても本発明を実現可能である。
【符号の説明】
【００６２】
１…増圧給水装置、１０…水道管、１１…ポンプ装置、１２…配管、１２ａ…吸込口、１２ｂ…吐出口、１３…逆流防止装置、１３ａ…第１の逆止弁、１３ｂ…第２の逆止弁、１３ｃ…リテーナ、１４…アキュムレータ、１５…第１圧力センサ、１６…第２圧力センサ、１７…流量センサ、１８…電装部、１８ａ…記憶装置、１８ｂ…制御部、１８ｃ…インバータ、１９…ポンプカバー、２１…モータ、２２…インペラ、２３…ポンプ、２３ａ…ポンプ吸込口、２３ｂ…ポンプ吐出口、３１…吸込配管、３２…吸込連結管、３３…ボール弁部、３４…個別吐出管、３５…吐出連結管、３６…バイパス連結管、３７…ストレーナ、５１、５２…逆止弁。
【図１】
2020094514.tif 000003
【図２】
2020094514.tif 000004
【図３】
2020094514.tif 000005
【図４】
2020094514.tif 000006
【図５】
2020094514.tif 000007